(57)【要約】    【課題】  旅行目的地において簡易に正確に且つ明瞭に音声による旅行ガイドを受ける。    【解決手段】  団体旅行において、団体旅行引率者は所持する団体引率者用端末のメモリ部に記録・保存されている旅行ガイド情報中から再生すべき項目の指定を行ってその項目コードを送信し、団体旅行者は所持する団体旅行者用端末でそれ受信し、端末中に記録・保存されている音声データによる旅行ガイド情報中から受信した項目コードに対応した音声データを自動的に抽出・再生して旅行ガイド情報として聞く。    【選択図】図３
2006155245.tif 000002
【特許請求の範囲】
【請求項１】
旅行ガイド情報を音声データとして記録・保存し、それを再生装置で再生・音声出力することによって旅行ガイドを行うことを特徴とする旅行ガイドシステム。
【請求項２】
旅行ガイド情報を音声データとして記録・保存するに際し、メモリオーディオプレーヤ用音楽データと同一方式で処理・記録することを特徴とする請求項１記載の旅行ガイドシステム。
【請求項３】
音声データとして記録・保存された旅行ガイド情報中には、旅行ガイド場所の位置特定のための位置データが付加されていることを特徴とする請求項１記載の旅行ガイドシステム。
【請求項４】
音声データとして記録・保存された旅行ガイド情報再生用端末には位置特定機能が付加されており、前記旅行ガイド情報中からの特定の情報の選択・抽出は、前記位置特定機能によって特定された位置データによって行われることを特徴とする請求項３記載の旅行ガイドシステム。
【請求項５】
音声データとして記録・保存された旅行ガイド情報は、インターネットＷＥＢサイトからダウンロードして入手して利用されることを特徴とする請求項２記載の旅行ガイドシステム。
【請求項６】
音声データとして記録・保存された旅行ガイド情報は、メモリカードに記録された形で入手・利用されることを特徴とする請求項２記載の旅行ガイドシステム。
【請求項７】
音声データとして記録・保存された旅行ガイド情報を団体引率者用端末で再生処理した後送信し、それを団体旅行者全員が所持する受信機で受信して旅行ガイドを受けることを特徴とする請求項１記載の旅行ガイドシステム。
【請求項８】
音声データとして記録・保存された旅行ガイド情報を記録したメモリ機能、音声再生機能、受信機能を有する旅行者用端末（子機）を団体旅行者全員に所持させ、団体旅行引率者は所有するメモリ機能、送信機能を有する団体引率者用端末（親機）で前記団体旅行者全員に対し前記メモリ機能中に記録・保存されている旅行ガイド情報中から再生すべき特定内容の項目情報を指定・送信し、それを受信した受信機側では受信した前記項目情報に対応する旅行ガイド情報を前記旅行者用端末が有するメモリ機能中から再生・出力することによって旅行ガイドを受けることを特徴とする請求項１記載の旅行ガイドシステム。
【発明の詳細な説明】
【技術分野】
【０００１】
本発明は、観光地における名所旧跡等の説明即ち旅行ガイドを、あたかも一流の旅行案内人が同行して説明してくれるように音声で受けられる旅行ガイドシステムに関する。
【背景技術】
【０００２】
従来団体旅行における名所旧跡地等での説明即ち旅行ガイドは、同行した旅行案内人から受けていた。しかし説明内容・聞き取りのしやすさ等は案内人によってバラツキが多く団体客からの不満も多かった。一方個人旅行においては、あらかじめ旅行目的地に関する資料等を読んでおく、あるいは個人的に旅行案内人を雇って説明を聞く、こと以外では、現地に行って資料を読みながら観光する、あるいは詳しい内容を知らずにただ見て回るだけ、の観光では、旅行目的地の詳しい情報を得ることができず、個人旅行の大きな欠点とされていた。
前記問題点・欠点を解決しようとして種々の試みがなされているが、いずれも効果が不十分で本格的な実用化に至っていないのが現状である。
【０００３】
【特許文献１】特許公開平11-238063 公報
【特許文献３】特許公開2002-083086 公報
【発明の開示】
【発明が解決しようとする課題】
【０００４】
本発明は団体旅行、個人旅行を問わず、旅行先の詳しく正確な説明を旅行者が個別に聞くことができる、前記団体旅行・個人旅行の不満・欠点を解消した、旅行ガイドシステムを提供しようとするものである。
【課題を解決するための手段】
【０００５】
観光地毎に、あるいは名所旧跡毎に、その案内情報を適当に項目分けして音声で入力・記録・保存する。記録・保存に際しては、従来のメモリオーディオプレーヤで再生可能な形式、例えばＭＰ３方式、で音声および内容検索に必要な情報を記録・保存する。これら記録・保存された情報はＷＥＢサイトからダウンロードして、あるいはメモリーカードに記録された形で、入手できるようにする。
【０００６】
個人旅行者は、旅行目的地の旅行ガイド情報をＷＥＢサイトからダウンロードして、あるいは必要とする旅行ガイド情報が記録・保存されたメモリーカードを購入することによって、入手し、それを従来からあるメモリオーディオプレーヤに取り込み、前記取り込んだ情報中から再生すべき項目を選択して再生し音声による旅行ガイドを受ける。
【０００７】
団体旅行においては、旅行社が前記旅行ガイド情報を旅行前に入手して、団体引率者の所持する引率者用端末（親機）のメモリ部に記録・保持しておき、目的地においてそれを団体引率者用端末の送信部から送信する。団体旅行者は全員にあらかじめ貸与されていた旅行ガイド用受信機（子機）でそれを受信することにより旅行ガイドを受ける。
【０００８】
あるいは団体旅行者はあらかじめメモリ機能、音声再生機能、受信機能を有し前記メモリ機能に前記音声による旅行ガイド情報が記録・保存されている旅行者用端末（子機）を貸与され、団体引率者は再生すべき旅行ガイドの項目コード等の項目情報を引率者用端末（親機）から旅行者用端末（子機）に送信し、団体旅行者は受信した前記項目コードに対応して自動的に選択・再生される旅行ガイド情報を聞くことにより旅行ガイドを受ける。
【０００９】
あるいは前記メモリオーディオプレーヤ、あるいは前記団体引率者用端末中に、ＧＰＳ受信機等の位置特定機能を持たせ、且つ前記音声による旅行ガイド情報の各項目ごとに前期位置特定機能で特定される位置データと同一形式の位置データを付加しておき、前記位置特定機能で特定した位置データに対応する旅行ガイド情報を自動的に選択・再生させることも可能である。
【発明の効果】
【００１０】
本発明による旅行ガイドシステムによって、個人旅行者はあたかも一流旅行案内人に案内されているように旅行できる。また団体旅行においても、旅行者は一流の旅行案内人に個別に旅行案内してもらうのと同等な案内を受けることができる。また団体旅行を主催する旅行社にとっても、旅行引率者が本システムの引率者用端末を適切に操作することによって旅行者に一流旅行案内人と同等な旅行ガイドを提供できることから、従来旅行先ごとに雇っていた旅行案内人は不要となり、旅行ガイドの質の向上とあわせて旅行コストの低減を図ることもできる。
【発明を実施するための最良の形態】
【００１１】
団体旅行においては、引率者用に旅行ガイド情報記録用メモリ、旅行ガイド再生機能、および送信機能、を有する引率者用端末（親機）、および旅行客個々人用に旅行ガイド情報記録用メモリ、旅行ガイド再生機能、および前記親機からの送信信号を受信する受信機能、を有する旅行者用端末（子機）、を用意し、旅行出発前に旅行目的地に対応した旅行ガイド情報をＷＥＢサイトからダウンロードして前記親機および子機の旅行ガイド情報記録用メモリに記録・保存する。
【００１２】
旅行目的地においては引率者は前記記録・保存された旅行ガイド情報中から、その場所に対応する項目を抽出してその項目コードを子機に送信する。それを受けた子機側では送られてきた項目コードに対応する旅行ガイド情報を前記旅行ガイド情報記録用メモリ中から抽出して再生し旅行ガイドを行う。
【００１３】
個人旅行においては、団体旅行の場合と同様に旅行出発前にＷＥＢサイトから必要な旅行情報をダウンロードして自分の所有するメモリオーディオプレーヤあるいは同等機能を有する端末のメモリ部に入力・記録・保存し、旅行先においては前記メモリ部に記録・保存した情報中から必要な項目を選択・抽出して再生し旅行ガイドを受ける。
【実施例１】
【００１４】
図１に本発明の旅行ガイドシステムにおける個人旅行者用端末の一構成例を示す。
図１において、
１は、ＣＰＵを主体に構成され、旅行者用端末１１０全体の制御を行う制御部、
２は、旅行者用端末１１使用者が、音声再生条件の設定、音声再生項目・内容の選択、音声再生開始・終了等の操作を行う操作部、
３は、音声再生条件、音声再生項目等の表示出力を行う表示部、
【００１５】
４は、ＷＥＢサイトからダウンロードした旅行ガイド情報をＰＣ経由入力する音声データ入力部、
５は、音声データ入力部４出力を記録・保存するメモリ部、
６は、メモリ部５に保存された旅行ガイド情報中から操作部２で選択された項目に対応する旅行ガイド情報を抽出し、データ伸張等の処理を行って再生し、後述の音声出力部７経由でイヤホンに音声出力する音声再生部、
７は前記音声再生部６出力を音声に変換してイヤホンに出力する音声出力部、
【００１６】
８は、制御部１に接続され、操作部２、表示部３、音声データ入力部４、メモリ部５、音声再生部６、音声出力部７の、操作信号、表示信号、音声データ等の伝送を行うバスライン、
１１０は、前記制御部１、操作部２、表示部３、音声データ入力部４、メモリ部５、音声再生部６、音声出力部７、およびバスライン８で構成される旅行者用端末の第一の構成例、
である。
【００１７】
前記図１に示す旅行者用端末１１０は、ＭＰ３プレーヤのごときメモリオーディオプレーヤと基本的構成は同一である。
旅行者用端末１１０において、旅行前に旅行先で旅行ガイドが必要な場所等に関する旅行ガイド情報をインターネットのＷＥＢサイトからＰＣ等によってダウンロードして入手し、それを音声データ入力部４経由メモリ部５に記録・保存する。
【００１８】
旅行目的地において、表示部３上にメモリ部５に記録・保存されている旅行ガイド情報の内容項目一覧を表示させ、その中から再生したい項目を操作部２で選択・特定する。選択・特定された項目に対応する音声による旅行ガイド情報はメモリ部５から音声再生部６に送られ、データ伸張処理等の再生処理が行われた後、音声出力部７経由音声としてイヤホンに出力される。
【実施例２】
【００１９】
前記実施例１においては、再生項目の選択は旅行者によって手動で行われるが、これを自動的に行う実施例２の旅行者用端末構成例を図２に示す。
図２において、
制御部１、操作部２、表示部３、音声データ入力部４、メモリ部５、音声再生部６、音声出力部７、バスライン８は図１に同一であるので説明は省略する。
【００２０】
９は、本端末の現在位置を特定するＧＰＳ受信機、
１２０は、前記制御部１、操作部２、表示部３、音声データ入力部４、メモリ部５、音声再生部６、音声出力部７、バスライン８、およびＧＰＳ受信機９で構成される旅行者用端末、
である。
【００２１】
図２に示す旅行者用端末１２０は前記旅行者用端末１１０にＧＰＳ受信機９を付加したものである。但しこの場合、ＷＥＢサイトからダウンロードされる旅行ガイド情報中には実施例１における旅行ガイド情報に加えて旅行ガイド情報の項目毎に位置データがＧＰＳ受信機９で得られる位置データ形式と同一形式で付加されている。
【００２２】
旅行者用端末１２０においては、ＧＰＳ受信機９で得られる現在位置データと旅行ガイド情報中の各項目の位置データと比較し、一定誤差範囲で一致した場合はその一致した位置データに対応する項目の旅行ガイド情報が自動的に再生・出力される。このように構成動作させることにより旅行者が旅行ガイドを受けるべき場所特定の手間、すなわち旅行ガイド情報中の特定項目の選択の手間、が不要となる。
【実施例３】
【００２３】
本実施例は団体旅行用である。図３に団体引率者用端末（親機）、図４に団体旅行者用端末（子機）、の構成例を各々示す。
図３、図４において、
制御部１、操作部２、表示部３、音声データ入力部４、メモリ部５、音声再生部６、音声出力部７、バスライン８は前記図１、図２と同一であるので説明は省略する。
【００２４】
１０は、旅行目的地において団体引率者が団体引率者用端末（親機）１３０中のメモリ部５に記録・保存されている旅行ガイド情報中から必要な項目を表示部３上で選択してその項目を操作部２で指示すると、その項目コードが団体旅行者用端末（子機）に対して送信される送信部であり、前記項目コードの送信は正確を期すため複数回行われる。
また本送信部１０からは団体引率者が音声で団体旅行者に指示・説明等も行えるよう音声の送信も可能となっている。
【００２５】
１３０は、前記制御部１、操作部２、表示部３、音声データ入力部４、メモリ部５、音声再生部６、音声出力部７、バスライン８、および送信部１０で構成される団体引率者用端末（親機）、
【００２６】
１１は、旅行目的地において前記引率者用端末１３０の送信部１０より送信された旅行ガイドの項目コードを受信して正しい項目コードを抽出する受信部である。ただし親機側から引率者の音声が送信された場合はそれを検知して受信した音声を音声出力部７経由イヤホンに出力する。
【００２７】
１４０は、前記制御部１、操作部２、表示部３、音声データ入力部４、メモリ部５、音声再生部６、音声出力部７、バスライン８、および受信部１１で構成される団体旅行者用端末（子機）であり、受信・抽出した項目コードに対応する旅行ガイド情報をメモリ部５から抽出して音声再生部６で再生し音声出力部７経由イヤホンに出力する。あるいは受信した団体引率者の音声を音声出力部７経由イヤホンに出力する。
【００２８】
本実施例においては団体引率者用端末（親機）１３０から旅行ガイド項目コードを送信したが、項目コードではなく旅行ガイド情報そのものの音声を送信し、団体旅行者用端末（子機）側でそれを受信して直接再生する方法もある。しかし本構成例に用いられる送受信部は一般的には微弱電波用であるためノイズが多く聞き取りにくい欠点がある。
【００２９】
従って上記説明の如く、旅行ガイド情報の音声を団体旅行引率者用端末（親機）から団体旅行者用端末（子機）に対して直接送信するよりも、メモリ部５中の旅行ガイド情報の項目を示す項目コードを送信し、その項目コードに対応する旅行ガイド情報を団体旅行者用端末（子機）側で個別に再生・出力する方が、団体旅行者用端末（子機）側の構成がメモリ部および音声再生機能が必要になる分複雑にはなるが、旅行ガイドを明瞭に気分良く受けることができることから旅行者にとっては好ましいといえる。
【産業上の利用可能性】
【００３０】
本発明の旅行ガイドシステムによって、個人旅行、団体旅行にかかわらず、旅行目的先の旅行ガイドを音声によって簡易に正確に明瞭に受けることができ、旅行の楽しさ・有益性が一段と増すことになる。
【図面の簡単な説明】
【００３１】
【図１】本発明による旅行ガイドシステム中の個人旅行者用端末の一構成例
【図２】本発明による旅行ガイドシステム中の個人旅行者用端末のもう一つの構成例
【図３】本発明による旅行ガイドシステム中の団体引率者用端末（親機）の一構成例
【図４】本発明による旅行ガイドシステム中の図３に示す団体引率者用端末（親機）に対応する団体旅行者用端末（子機）の一構成例    である。
【符号の説明】
【００３２】
図１、図２、図３、図４において、
１：制御部  
２：操作部  
３：表示部  
４：音声データ入力部  
５：メモリ部  
６：音声再生部  
７：音声出力部  
８：バスライン  
【００３３】
図１において、
１１０：個人旅行者用端末  
図２において、
９：ＧＰＳ受信機  
１２０：もう一つの個人旅行者用端末  
図３において、
１０：送信部  
１３０：団体引率者用端末（親機）
図４において、
１１：受信部  
１４０：団体旅行者用端末（子機）
である。
【図１】
2006155245.tif 000003
【図２】
2006155245.tif 000004
【図３】
2006155245.tif 000005
【図４】
2006155245.tif 000006
【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
旅行ガイド情報を音声データとして記録・保存し、それを再生装置で再生・音声出力することによって旅行ガイドを行うことを特徴とする旅行ガイドシステム。
【請求項２】
音声データとして記録・保存された旅行ガイド情報中には、旅行ガイド場所の位置特定のための位置データが付加され、また音声データ再生用端末には位置特定機能が付加されており、前記旅行ガイド情報中からの特定情報の選択・抽出は、前記位置特定機能によって特定された位置データによって行われることを特徴とする請求項１記載の旅行ガイドシステム。
【請求項３】
音声データとして記録・保存された旅行ガイド情報を団体引率者用端末で再生処理した後送信し、それを団体旅行者が所持する受信機で受信して旅行ガイドを受けることを特徴とする請求項１記載の旅行ガイドシステム。
【請求項４】
音声データとして記録・保存された旅行ガイド情報を記録したメモリ機能、音声再生機能、受信機能を有する旅行者用端末（子機）を団体旅行者に所持させ、団体旅行引率者は所有するメモリ機能、送信機能を有する団体引率者用端末（親機）で前記団体旅行者に対し前記メモリ機能中に記録・保存されている旅行ガイド情報中から再生すべき特定内容の項目情報を指定・送信し、それを受信した受信機側では受信した前記項目情報に対応する旅行ガイド情報を前記旅行者用端末が有するメモリ機能中から抽出・再生・出力することによって旅行ガイドを受けることを特徴とする請求項１記載の旅行ガイドシステム。